(57)【要約】  【課題】  継続的に目を美しく見せることができる美顔具を提供する。  【解決手段】  この美顔具１は、人の手で把持可能な把持部２と、下目蓋に当てる下当接部３０と、上目蓋に当てる上当接部４０と、把持部２を握った手で操作な操作レバー５と、を備えている。そして、この美顔具１は、上当接部４０を上目蓋に当て、下当接部を下目蓋に当てて操作部を操作すると、上目蓋を、目が自然に開いた位置よりも離して開くことができる。このようにすると、目の周りにある眼輪筋がストレッチされ、また、通常の可動範囲を超えて眼輪筋が動かされるので、眼輪筋がやわらかくしかも強くなるように鍛えることができる。そのため、この美顔具１を用いると、鍛えられた眼輪筋により、継続的に眼を大きく見開いて目を美しく見せることができる。【選択図】図１
0003137758.tif 000002
【実用新案登録請求の範囲】
【請求項１】
人の手で把持可能な把持部と、
下目蓋に当てる下当接部と、
上目蓋に当てる上当接部と、
前記把持部を握った手で操作な操作部と、
を備え、
前記上当接部あるいは前記下当接部の少なくとも一方は、前記操作部への操作に従って、目蓋が開く方向に沿って移動可能に前記把持部に対して取り付けられている
ことを特徴とする美顔具。
【請求項２】
請求項１に記載の美顔具において、
前記下当接部は、
前記把持部に対して固定して取り付けられ、
前記上当接部は、
前記把持部を持って前記下当接部を下目蓋に当てたときに、開いた目の上目蓋に当たる当接位置に配置されるように前記把持部に対し取り付けられ、
かつ、前記操作部への操作に従って、前記当接位置から目蓋が開く方向に移動可能に前記把持部に対し取り付けられている
ことを特徴とする美顔具。
【請求項３】
請求項１，２のいずれかに記載された美顔具において、
前記上当接部あるいは前記下当接部の少なくとも一方は、前記操作部への操作に従って、両目蓋が開いた位置から目蓋が開く方向に１５ｍｍ以下の距離を移動可能に前記把持部に取り付けられていることを特徴とする美顔具。
【請求項４】
請求項１〜３のいずれかに記載された美顔具において、
前記上当接部あるいは前記下当接部を前記把持部に取り付けるために、両目蓋に前記上当接部及び前記下当接部が当接している目に対向する位置を通る取付部材の対向部分に、開口が形成されていることを特徴とする美顔具。
【請求項５】
請求項１〜４のいずれかに記載された美顔具において、
前記上当接部は、ＥＶＡ樹脂で構成されていることを特徴とする美顔具。
【請求項６】
請求項１〜５のいずれかに記載された美顔具において、
前記下当接部は、ＥＶＡ樹脂で構成されていることを特徴とする美顔具。
【請求項７】
請求項５，６のいずれかに記載の美顔具において、
前記ＥＶＡ樹脂は、ゲルマニウム粉末を含有していることを特徴とする美顔具
【請求項８】
請求項１〜７のいずれかに記載の美顔具において、
前記上当接部は、
開いた目の上目蓋に沿った形状に形成されていることを特徴とする美顔具。
【請求項９】
請求項８に記載の美顔具において、
前記上当接部は、
半径３５〜４５ｍｍの円の円弧に沿った形状に形成されていることを特徴とする美顔具。
【請求項１０】
請求項１〜９のいずれかに記載の美顔具において、
前記上当接部あるいは前記下当接部の少なくとも一方が目蓋が開く方向に移動して開いたときに、この開いた状態を保持する保持手段
を備えることを特徴とする美顔具。
【考案の詳細な説明】
【技術分野】
【０００１】
本考案は、目を美しく見せるための美顔具に関する。
【背景技術】
【０００２】
従来より、目を美しく見せるための美顔具として複数種類の美顔具がある。例えば、上目蓋の皮膚をつまむことができるクリップ形状に形成された美顔具がある（非特許文献１）。この美顔具は、上目蓋の皮膚をつまんで皮膚にクセを付け、二重目蓋を一時的に作り上げるものである。
【非特許文献１】株式会社ニッセン発刊、２００７年秋号のカタログ（カタログ番号２２０２）、Ｐ４２１
【考案の開示】
【考案が解決しようとする課題】
【０００３】
しかし、従来の目を美しく見せるための美顔具は一時的なものが多く、例えば、非特許文献１に示された美顔具では、皮膚につけたクセが取れてしまうと、再びそのクセをつけねばならなかった。
【０００４】
そこで本考案では、上述した問題点を解決し、継続的に目を美しく見せることができる美顔具を提供することを目的とする。
【課題を解決するための手段】
【０００５】
上述した問題を解決するためになされた考案である請求項１に記載の美顔具は、人の手で把持可能な把持部と、下目蓋に当てる下当接部と、上目蓋に当てる上当接部と、前記把持部を握った手で操作な操作部と、を備え、前記上当接部あるいは前記下当接部の少なくとも一方は、前記操作部への操作に従って、目蓋が開く方向に沿って移動可能に前記把持部に対して取り付けられていることを特徴とする。
【０００６】
この美顔具は、上当接部を上目蓋に当て、下当接部を下目蓋に当てて操作部を操作すると、各目蓋を、目が開いた位置よりも離して開くことができる。
このようにすると、目の周りにある眼輪筋がストレッチされ、また、通常の可動範囲を超えて眼輪筋が動かされるので、眼輪筋がやわらかくしかも強くなるように鍛えることができるのである。
【０００７】
この眼輪筋がやわらかくしかも強く鍛えられると、眼輪筋を伸ばした状態で、この状態を維持できるようになるので、鍛えられないときに比べて、目を大きく長く自然に見開くことができるようになる。その結果、目蓋が二重になるなどして、眼を美しく見せることができるようになる。
【０００８】
しかも、眼輪筋が鍛えられると、皮膚にクセをつける場合などに比べて、すぐには衰えないので、継続的に目を大きく長く自然に見開くことができるようになる。
従って、請求項１に記載された美顔具を用いると、継続的に目を美しく見せることができる。
【０００９】
次に、美顔具の具体的な構造としては、請求項２に記載したように、請求項１に記載の美顔具において、前記下当接部は、前記把持部に対して固定して取り付けられ、前記上当接部は、前記把持部を持って前記下当接部を下目蓋に当てたときに、開いた目の上目蓋に当たる当接位置に配置されるように前記把持部に対し取り付けられ、かつ、前記操作部への操作に従って、前記当接位置から目蓋が開く方向に移動可能に前記把持部に対し取り付けられていることが好ましい。
【００１０】
この美顔具を用いると、視力検査のときに、視力を検査しない側の目を隠すために用いられる道具に似た形態で使用することができる。
そのため、使用者にとって、手馴れた形態で使用することができる。
【００１１】
次に、眼輪筋を伸ばしすぎると、肉離れなど、他の障害を引き起こす恐れがある。
そのため請求項３に記載した美顔具のように、記載請求項１，２のいずれかに記載された美顔具において、前記上当接部あるいは前記下当接部の少なくとも一方は、前記操作部への操作に従って、両目蓋が開いた位置から目蓋が開く方向に１５ｍｍ以下の距離を移動可能に前記把持部に取り付けられていることが好ましい。
【００１２】
このように目蓋を開いても、通常時よりも１５ｍｍ以下の距離で動かすのであれば、眼輪筋を痛めることがないので、この美顔具を用いれば、他の障害を引き起す心配をすることなく、目を美しく見せるよう、眼輪筋を鍛えることができる。
【００１３】
ところで、本考案の美顔具では、構造上、上当接部あるいは下当接部を把持部に取り付けるために、両目蓋に上当接部及び下当接部が当接している目に対向する位置を通って取付部材が取り付けられることが考えられる。
【００１４】
一方、この美顔具は、鏡を見ながら用いられることが多い。
そこで請求項４に記載したように、請求項１〜３のいずれかに記載された美顔具において、前記上当接部あるいは前記下当接部を前記把持部に取り付けるために、両目蓋に前記上当接部及び前記下当接部が当接している目に対向する位置を通る取付部材の対向部分に、開口が形成されていることが好ましい。
【００１５】
このようにすれば、取付部材があっても、取付部材に設けられた開口部を通して鏡を見ることができる。
次に、請求項５に記載したように、請求項１〜４のいずれかに記載された美顔具において、上当接部は、ＥＶＡ樹脂で構成されていてもよい。また、請求項６に記載したように請求項１〜５のいずれかに記載された美顔具において、下当接部も、ＥＶＡ樹脂で構成されていてもよい。
【００１６】
このＥＶＡ樹脂は柔軟性があるので、硬い両当接部を両目蓋に当てるのに対して、両目蓋を痛めることなく、眼輪筋を鍛えることができる。
次に、請求項７に記載したように、請求項５，６のいずれかに記載の美顔具において、ＥＶＡ樹脂は、ゲルマニウム粉末を含有していることが好ましい。
【００１７】
このようにすると、ゲルマニウムにより肌が温められるので、眼輪筋をストレッチするときに、眼輪筋を痛めることなく、ストレッチすることができる。
尚、本考案の美顔具の上当接部は、眼輪筋を鍛えることができる形状であれば、どのような形状でもよいが、例えば、請求項８に記載したように、請求項１〜７のいずれかに記載の美顔具において、上当接部は、開いた目の上目蓋に沿った形状に形成されていることが好ましい。また、この際、日本人の場合は、請求項９に記載したように、上当接部は、半径３５〜４５ｍｍの円の円弧に沿った形状に形成されていることが好ましい。
【００１８】
また、眼輪筋をストレッチするとき、上当接部と下当接部とが開いた状態を一定時間維持する場合が多いので、請求項１０に記載したように、請求項１〜９のいずれかに記載の美顔具において、上当接部あるいは下当接部の少なくとも一方が目蓋が開く方向に移動して開いたときに、この開いた状態を保持する保持手段を備えることが好ましい。
【００１９】
このようにすると、眼輪筋をストレッチするため、上当接部と下当接部とが開いた状態を指等で維持して指を疲れさせることなく、一定時間、その開いた状態を維持することができる。
【考案を実施するための最良の形態】
【００２０】
以下、本考案が適用された実施形態について図面を用いて説明する。
ここで、図１は、本実施形態の美顔具の外観図であり、（ａ）は左側面図、（ｂ）は正面図である。図２は、本実施形態の美顔具の透過図であり、（ａ）は左側面図、（ｂ）は正面図である。図３は、美顔具の上当接部が移動した様子を示す、美顔具の透過図であり、（ａ）は左側面図、（ｂ）は正面図である。
１．外観構成
１．１．美顔具１
本実施形態の美顔具１は、図１に示すように、略円筒形状に形成された把持部２と、把持部２の軸方向の一端に取り付けられた固定部３及び可動部４とを備えている。
【００２１】
このうち固定部３及び可動部４は、把持部２に取り付けられたときに、把持部２の軸方向に沿って把持部２に連続する形状に形成されている。
尚、以下の説明では、把持部２から見て固定部３及び可動部４が取り付けられる端部側を「上端側」と呼び、その反対の端部側を「下端側」と呼ぶ。
１．２．把持部２
把持部２は、軸周りの外周面の形状が、人の手で把持するときに把持しやすいように人間工学に基づいた形状に形成されている。
【００２２】
具体的には、把持部２は、軸方向の下端側が上端側に比べて太い径で形成され、しかも、下端側が、軸方向を基準にすると、上端側に対して湾曲した形状に形成されている。
尚、以下、把持部２の下端側が上端側に対して湾曲した方向側を正面側と呼び、その反対側を背面側と呼ぶ。
【００２３】
そして、このように形成された把持部２の上端側かつ正面側の外周面には、操作レバー５と、ストップボタン６とが設置されている。
１．２．１．操作レバー５
操作レバー５は、把持部２を握った人の親指で操作可能な大きさに形成され、把持部２の軸方向に沿って、上端側に向かってスライド可能に把持部２に取り付けられている。  
【００２４】
また、操作レバー５の親指が当たる部分は、親指の形状に合わせてくぼんだ湾曲状に形成され、すべり止めのために縞状の凹凸が形成されている。
１．２．２．ストップボタン６
ストップボタン６は、操作レバー５の下端側に設置され、把持部２に対し出没可能に取り付けられている。
１．３．固定部３
固定部３は、把持部２の上端側の端部から延設され、図１（ａ）に示すように、左方側から見ると、固定部３の上端側ほど正面側に向かって湾曲する形状に形成されている。
【００２５】
また、この固定部３の上端は、図１（ｂ）に示すように、正面側から見ると、開いた目の下目蓋に沿った長尺な湾曲形状に形成されている。そして、このように形成された固定部３の上端の正面側には、ＥＶＡ（Ethylene-Vinyl Acetate）樹脂で形成された下当接部３０が形成されている。
【００２６】
この固定部３は、把持部２に固定されている。
１．４．可動部４（上当接部４０）
可動部４は、把持部２の上端側の端部から延設され、図１（ａ）に示すように、左方側から見ると、下端側から上端側に向かう中間位置までは正面側に向かって湾曲し、中間位置から上端側までは、中間位置から見て上端側が背面側に向かって傾いた形状に形成されている。
【００２７】
また、この可動部４は、図１（ｂ）に示すように、正面側から見ると、中間位置よりやや下方に位置する下当接部３０より上端側の形状が、上下方向よりも左右方向の径が大きい略楕円形状に形成された開口４２を有する形状に形成されている。
【００２８】
この、開口４２が開口する位置は、具体的には、下当接部３０を自然に開いた目の下目蓋に当てたとき、この下当接部３０が下目蓋に当てられた目に対向する位置で開口する位置である。
【００２９】
また、この可動部４の中間位置より上端側は、使用者が把持部２を持って自然に開いた目の下当接部３０を下目蓋に当てたときに、自然に開いた目の上目蓋に当たる位置に形成されている。
【００３０】
そして、この可動部４の中間位置より上端側の部分は、自然に開いた目の上目蓋に当たるように、半径４０ｍｍの円の円弧に沿った長尺な湾曲形状に形成され、この部分の正面側には、ＥＶＡ樹脂で形成された上当接部４０が形成されている。
【００３１】
また、この上当接部４０には、ゲルマニウム粉末が練りこまれ、また長手方向に沿って２列に並べられた突起４１が形成されている。
そして、このように形成された可動部４は、把持部２の軸方向に沿って移動可能に把持部２に対して取り付けられている。
２．内部構成
次に、この美顔具１の内部構成について説明する。
【００３２】
可動部４は、図２に示すように、その下端側の一部が把持部２の上端から挿入され、把持部２の内部で摺動可能な形状に形成されている。
また、可動部４は、把持部２内で、把持部２の軸方向に沿って配置された伝達棒部７を備えており、この伝達棒部７は、可動部４の下端よりも更に下方に向かって延設されている。
【００３３】
そして、把持部２の内部の下端側には、バネ８が取り付けられ、このバネ８の下端が把持部２の内部の下端で固定され、バネ８の上端が、伝達棒部７の下端に接続されている。
このバネ８としては、伝達棒部７を上端側から下端側に向かって引っ張る方向に張力がかかるものが用いられており、操作レバー５を操作しないとき、可動部４は、このバネ８の張力により、下端側に向かって引き付けられ、固定部３に当接している。
【００３４】
次に、伝達棒部７には、操作レバー５が組み立てて取り付けられ、伝達棒部７の下端には、ストップボタン６が嵌まる大きさの嵌合孔７０が形成されている。この嵌合孔７０は、伝達棒部７が上端側に向かって１５ｍｍ移動したときに、嵌合可能な位置に形成されている。
【００３５】
また、操作レバー５を伝達棒部７と把持部２の内部で連結するために把持部２には、操作レバーを動かすための連絡孔５０が形成されており、この連絡孔５０は、下端側から上端側に向かって１５ｍｍの長さに形成されている。
【００３６】
そのため、可動部４は、この操作レバー５を動かせる範囲で可動する。
３．本実施形態の美顔具１の動作
次に、本実施形態の美顔具１の動作について説明する。
【００３７】
本実施形態の美顔具１を使用するとき、自然に開いた目の下目蓋に下当接部３０を当て、自然に開いた目の上目蓋に上当接部４０が当たるようにして、把持部２を手に持ち、親指を操作レバー５に当てる。
【００３８】
このとき、開口４２が、目に対向する位置に形成されているので、鏡を見ながら、下目蓋に下当接部３０が当たっているか、上目蓋に上当接部４０が当たっているか、確認しながら、両当接部３０，４０を各目蓋に当てることができる。
【００３９】
そして、操作レバー５を上端側に向かって移動させると、図３に示すように、伝達棒部７が上端側に向かって移動して、バネ８を伸ばすとともに、可動部４を上端側に向かって押し上げる。
【００４０】
すると、上目蓋が上当接部４０によって押し上げられ、この上目蓋の押し上げによって、眼輪筋がストレッチされる。
また、操作レバー５を上端側に向かって１５ｍｍ移動させると、ストップボタン６に対向する位置に嵌合孔７０が移動してストップボタン６が嵌合孔７０に嵌合して、伝達棒部７が自然に止まる。
【００４１】
すると、眼輪筋をストレッチするため、操作レバー５をバネ８の張力に逆らって長時間に渡って操作する必要がなくなるので、手が疲れなくて済む。
ストレッチが終わった後は、ストップボタン６を押下すると嵌合孔７０との嵌合が解除され、バネ８の張力により伝達棒部７及び可動部４が下方側に向かって引っ張られて、可動部４が元の位置まで戻される。
４．実施形態に係る美顔具１の特徴
この美顔具１は、把持部２を持って、自然に開いた目の下目蓋に下当接部３０を当て、そして自然に開いた目の上目蓋に上当接部４０を当て、操作レバー５を操作すると、上目蓋を、目を自然に開いた位置よりもさらに開く方向に持上げることができる。
【００４２】
このようにすると、目の周りにある眼輪筋がストレッチされ、また、通常の可動範囲を超えて眼輪筋が動かされるので、眼輪筋がやわらかくしかも強くなるように鍛えることができる。
【００４３】
この眼輪筋がやわらかくしかも強く鍛えられると、眼輪筋を伸ばした状態で、この状態を維持できるようになるので、鍛えられないときに比べて、目を大きく長く自然に見開くことができるようになる。その結果、目蓋が二重になるなどして、眼を美しく見せることができるようになる。
【００４４】
しかも、眼輪筋が鍛えられると、皮膚にクセをつける場合などに比べて、すぐには衰えないので、継続的に目を大きく長く自然に見開くことができるようになる。
従って、本実施形態の美顔具１を用いると、継続的に目を美しく見せることができる。
【００４５】
また、本実施形態の美顔具１は、把持部２を握って上下の当接部３０，４０を目蓋に当てる、視力検査のときに、視力を検査しない側の目を隠すために用いられる道具に似た形態で使用することができる。そのため、使用者にとって、手馴れた形態で使用することができる。
【００４６】
また、本実施形態の美顔具１は、上当接部４０が、１５ｍｍ以上移動しないように構成されているので、眼輪筋の伸ばしすぎによる肉離れなどの障害を引き起こす心配をすることなく、恐眼輪筋を鍛えることができる。
【００４７】
また、本実施形態の美顔具１は、各目蓋に各当接部３０，４０を当接させたときに、目に対向する位置に開口４２が形成されているので、鏡を見ながら、各当接部３０，４０を各目蓋に当接させることができる。
【００４８】
また、本実施形態の美顔具１は、各当接部３０，４０がやわらかいＥＶＡ樹脂で構成されているので、目の皮膚を傷めることがない。
また、上当接部４０を構成するＥＶＡ樹脂がゲルマニウム粉末を含有しているので、眼輪筋を暖めながらストレッチすることができる。
【００４９】
また、本実施形態の美顔具１は、上当接部４０が下当接部３０に対し開いた状態を保持することができるので、眼輪筋をストレッチするため、上当接部４０が下当接部３０に対し開いた状態を指等で維持して指を疲れさせることなく、一定時間、維持することができる。
【００５０】
また、本実施形態の美顔具１は、上当接部４０が下当接部３０に対し開いた状態の解除について、ストップボタン６を押下するだけで解除できる。
５．実施形態と考案特定事項との対応関係
ストップボタン６及び嵌合孔７０は、本考案の保持手段に相当する。
【００５１】
可動部４を構成する部材（上当接部４０を除く部分）は、本考案の取付部材に相当する。
（その他の実施形態）
下当接部３０にもゲルマニウム粉末を含有させてもよい。
【００５２】
本実施形態では、操作レバー５を手で動かして上当接部４０を動かす構造であるが、電動モーター及び電池を内蔵するなどして、ボタン操作により、電気の力で上当接部４０を上げ下げする構成としてもよいことはもちろんである。
【００５３】
また、本実施形態では上当接部４０のみが動く構成となっているが、下当接部３０が動く構成としてもよい。さらに、上当接部４０も下当接部３０も動く構成としてもよい。
また、本実施形態では、両当接部３０，４０をＥＶＡ樹脂で構成したが、例えば、シリコン樹脂等で構成してもよい。
【００５４】
また、本実施形態では、上当接部４０を、半径４０ｍｍの円の円弧に沿った長尺な湾曲形状に形成したが、人それぞれの目の大きさに合わせ、例えば３５〜４５ｍｍの円の円弧に沿った長尺な湾曲形状に形成してもよい。
【００５５】
また、本考案は、実用新案登録請求の範囲に記載された考案の趣旨に合致するものであればよく、上述の実施形態に限定されるものではない。
【図面の簡単な説明】
【００５６】
【図１】本実施形態の美顔具の外観図であり、（ａ）は左側面図、（ｂ）は正面図である。
【図２】本実施形態の美顔具の透過図であり、（ａ）は左側面図、（ｂ）は正面図である。
【図３】本実施形態の美顔具の上当接部が移動した様子を示す、美顔具の透過図であり、（ａ）は左側面図、（ｂ）は正面図である。
【符号の説明】
【００５７】
１…美顔具、２…把持部、３…固定部、４…可動部、５…操作レバー、
６…ストップボタン、７…伝達棒部、８…バネ、３０…下当接部、４０…上当接部、
４２…開口、７０…嵌合孔
【図１】
0003137758.tif 000003
【図２】
0003137758.tif 000004
【図３】
0003137758.tif 000005